(57)【特許請求の範囲】
【請求項１】
ハンドルバーを覆うハンドルカバーが前側カバーと後側カバーとに分割されて形成されており、該後側カバー内の車幅方向中央上部にスピードメータが配設されている自動二輪車において、
前記スピードメータの後方の前記後側カバー内に配設された収納ボックスと、
該収納ボックスの上方を開閉可能な蓋体と、
を備え、前記ハンドルバーの車幅方向中央部は、下方に湾曲するＵ字状であって、上方に凹部空間を有し、前記収納ボックスは、前記凹部空間に配置され、前記収納ボックスの上部には、開口部が設けられ、該開口部は、開口方向が前記収納ボックスの長手幅方向に対して後方に傾斜するように形成され、前記蓋体は、前後方向に回動可能に枢支され、該蓋体の回動軸は、前記収納ボックスを挟んで乗員と反対側に配置されることを特徴とする自動二輪車の小物入れ。
【請求項２】
前記収納ボックス開口部は、平面視にて、車幅方向に平行に延びる前後一対の縁を有する略台形状であり、乗員から遠い側の縁の長さが乗員に近い側の縁の長さよりも長く、前記蓋体は、回動軸の支持部が前記収納ボックス開口部の乗員に遠い側の縁の両端に近接して配置される請求項１に記載の自動二輪車の小物入れ。
【請求項３】
前記蓋体の回動軸及び前記蓋体の回動軸の支持部は、前記収納ボックスの外側に配置される請求項２に記載の自動二輪車の小物入れ。
【請求項４】
前記収納ボックスの車幅方向中央部は、２つの前記蓋体の回動軸の支持部の幅方向中間部において前方に突出する請求項３に記載の自動二輪車の小物入れ。
【請求項５】
前記収納ボックスの底面の後部は、前記ハンドルバー中央部の後方に形成され、且つ該ハンドルバー中央部の下方に延びて形成される請求項１〜４のいずれか１の請求項に記載の自動二輪車の小物入れ。
【請求項６】
前記収納ボックスは、前記後側カバーと共に、前記ハンドルバーに設けられた固定部材に共締め固定され、該固定点は、前記収納ボックス最下部に設けられる請求項１〜５のいずれか１の請求項に記載の自動二輪車の小物入れ。
【発明の詳細な説明】
【技術分野】
【０００１】
本発明は、自動二輪車の小物入れに関し、特に、前輪を操舵するハンドルバーを覆うハンドルカバーに設置される自動二輪車の小物入れに関する。
【背景技術】
【０００２】
従来、スクータ型自動二輪車等の自動二輪車において、小物入れはライダが着座するシートの下などに設けられているのが一般的である。
【０００３】
しかしながら、この種の小物入れでは、小物入れから物を取り出す度にライダは自動二輪車から降りなければならず、使い勝手が悪いといった問題があった。
【０００４】
そこで、このような問題を解決するため、メータ類の後方であって、ハンドルの最も低位に位置する上ブラケットへの取付部に小物入れを設けた自動二輪車が提案されている（例えば、特許文献１参照）。
【特許文献１】特開昭５６−６７６７２号公報
【発明の開示】
【発明が解決しようとする課題】
【０００５】
しかしながら、上記した特許文献１に記載の自動二輪車では、小物入れやスピードメータ等のメータ類がそれぞれ別個に取付部にネジ止めされるようになっているため、小物入れ等の組み付け作業に手間が掛かるといった問題があった。
【０００６】
また、小物入れやメータ類の周囲に組み付けのためのスペースが必要となる分、小物入れの容量を十分に確保し難いといった問題や、小物入れやメータ類との間に生じるスペースのため外観が損なわれるといった問題などもあった。
【０００７】
本発明は上記した課題を解決すべくなされたものであり、小物の出し入れを容易に行うことができ、組み付け性の向上を図ることができると共に、十分な容量を確保することができ、外観の向上を図ることのできる自動二輪車の小物入れを提供することを目的とする。
【課題を解決するための手段】
【０００８】
上記した目的を達成するため、本発明に係る自動二輪車の小物入れは、ハンドルバーを覆うハンドルカバーが前側カバーと後側カバーとに分割されて形成されており、該後側カバー内の車幅方向中央上部にスピードメータが配設されている自動二輪車において、前記スピードメータの後方の前記後側カバー内に配設された収納ボックスと、該収納ボックスの上方を開閉可能な蓋体と、を備え、前記ハンドルバーの車幅方向中央部は、下方に湾曲するＵ字状であって、上方に凹部空間を有し、前記収納ボックスは、前記凹部空間に配置され、前記収納ボックスの上部には、開口部が設けられ、該開口部は、開口方向が前記収納ボックスの長手幅方向に対して後方に傾斜するように形成され、前記蓋体は、前後方向に回動可能に枢支され、該蓋体の回動軸は、前記収納ボックスを挟んで乗員と反対側に配置されることを特徴とする。
【０００９】
そして、前記収納ボックス開口部は、平面視にて、車幅方向に平行に延びる前後一対の縁を有する略台形状であり、乗員から遠い側の縁の長さが乗員に近い側の縁の長さよりも長く、前記蓋体は、回動軸の支持部が前記収納ボックス開口部の乗員に遠い側の縁の両端に近接して配置されてもよい。
【００１０】
また、前記蓋体の回動軸及び前記蓋体の回動軸の支持部は、前記収納ボックスの外側に配置されてもよい。
【００１１】
さらに、前記収納ボックスの車幅方向中央部は、２つの前記蓋体の回動軸の支持部の幅方向中間部において前方に突出してもよい。
また、前記収納ボックスの底面の後部は、前記ハンドルバー中央部の後方に形成され、且つ該ハンドルバー中央部の下方に延びて形成されてもよい。
また、前記収納ボックスは、前記後側カバーと共に、前記ハンドルバーに設けられた固定部材に共締め固定され、該固定点は、前記収納ボックス最下部に設けられてもよい。
【発明の効果】
【００１２】
本発明に係る自動二輪車の小物入れによれば、小物の出し入れを容易に行うことができ、組み付け性の向上を図ることができると共に、十分な容量を確保することができ、外観の向上を図ることができる。
【発明を実施するための最良の形態】
【００１３】
以下、図面を参照しつつ、本発明の実施の形態について説明する。
【００１４】
先ず、図１及び図２を参照しつつ、本発明の実施の形態における自動二輪車の全体構成について説明する。ここで、図１は本発明の実施の形態における自動二輪車の全体構成を示す左側面図、図２は同自動二輪車の全体構成を示す平面図である。なお、以下の説明では、本発明をスクータ型自動二輪車に適用した場合について例示して説明する。
【００１５】
本発明の実施の形態に係るスクータ型自動二輪車１には、骨組みを構成する車体フレーム２が設けられており、この車体フレーム２の前方には、ヘッドパイプ３が設けられ、ヘッドパイプ３から後斜め下方に向かってダウンチューブ４が延出して形成されている。
【００１６】
ヘッドパイプ３には、下端に前輪５を軸支するフロントフォーク６が回動自在に設けられていると共に、上端にハンドルバー７が設けられたステアリングシャフト８が回動自在に嵌合しており、ハンドルバー７の操舵により前輪５が左右に回動するようになっている。ハンドルバー７はハンドルカバー１６によって覆われており、ハンドルバー７の端部に設けられたハンドルグリップ１７はハンドルカバー１６から露出している。
【００１７】
ヘッドパイプ３とダウンチューブ４の周囲は、前方からフロントカバー９により覆われていると共に、後方からレッグシールド１０により覆われており、フロントカバー９及びレッグシールド１０は、フロントフォーク６やハンドルバー７の回動に伴って回動しないように取り付けられている。
【００１８】
一方、車体フレーム２の後方下部には、ユニットスイング型のパワーユニット１１が連結されており、パワーユニット１１の後端に後輪１２が軸支されている。後輪１２の上方には、ヘルメットや荷物、工具等を収納するための物品収納室１３が設けられており、物品収納室１３の上方には物品収納室１３の蓋を兼用する着座シート１４が開閉自在に設けられている。また、車体フレーム２の後部はリヤフレームカバー１５により覆われており、リヤフレームカバー１５は、例えばＰＰ樹脂やAＢＳ樹脂等のプラスチック樹脂素材で成型されている。
【００１９】
ヘッドパイプ３と着座シート１４との間は、下方に大きく略Ｕ字状に湾曲し、ライダが両足を載せる低床の足載せフロア５０が形成されている。
【００２０】
次に、図３〜図６を参照しつつ、本発明の実施の形態に係る自動二輪車の小物入れについて説明する。ここで、図３は本発明の実施の形態における自動二輪車のハンドルカバー部分を示す斜視図、図４は同自動二輪車のハンドルカバー部分を示す断面図、図５は同自動二輪車の小物入れを示す斜視図、図６は同自動二輪車の小物入れにおいて蓋体の回動軸を支持する構造を示す斜視図である。
【００２１】
ハンドルカバー１６は、前側カバー１８と後側カバー１９とに分割されて形成されており、前側カバー１８及び後側カバー１９はそれぞれビス２０，２１等の支持具を介してハンドルバー７に固定されている。ハンドルバー７は車幅方向中央部は下方に湾曲してＵ字状に形成されており、ハンドルバー７の車幅方向中央部の上方には凹部空間２２が形成されている。
【００２２】
前側カバー１８は車幅方向中央部が左右両側部より前方に膨出するように形成されており、該膨出部分の内部にヘッドランプ２３が嵌設されている。また、後側カバー１９は車幅方向中央上部が後側下方に向かって僅かに傾斜して形成されており、該傾斜部分の内部にスピードメータ２４が嵌設されている。
【００２３】
スピードメータ２４の後方には小物入れ２５が設けられており、この小物入れ２５は、スピードメータ２４の後方の後側カバー１９内に配設された収納ボックス２６と、収納ボックス２６の上方を開閉可能な蓋体２７とを備えて構成されている。
【００２４】
収納ボックス２６は、ボックスフロント２８とボックスリヤ２９とに前後に分割されて形成されており、ボックスフロント２８とボックスリヤ２９とは各周縁部の係合爪部３０，３１を介して互いに結合されている。また、ボックスリヤ２９の車幅方向中央部と後側カバー１９との間の隙間３２にはロック部材３３が介装されており、ロック部材３３は縦長板状を成し、上部にロック部３４が形成されている。
【００２５】
そして、収納ボックス２６のいずれか一方の係合部（図４では係合部３１）の下端及びロック部材３３の下端を前記後側カバー１９の固定用ビス２１を介して共締めすることにより、収納ボックス２６及びロック部材３３がそれぞれハンドルバー７に固定されるようになっている。これにより、ハンドルバー７に対する収納ボックス２６及びロック部材３３の組み付け作業が簡素化され、製造コストの低減化を図ることができると共に、組み付けのためのスペースを削減することができるため、収納ボックス２６の容量を十分に確保することができる。
【００２６】
ボックスフロント２８の前側部分２８ａはハンドルバー７の車幅方向中央部の形状に整合するように形成され、凹部空間２２に配設されており、これにより、収納ボックス２６の容量を十分に確保することができる。また、ボックスフロント２８の前側部分２８ａの上部は後側上方に向かって僅かに折曲され、さらに、その左右両側部にはそれぞれ凹部３５，３６が形成されている。さらにまた、ボックスフロント２８の後側部分２８ｂはボックスリヤ２９の下方部分２９ａと共にハンドルバー７の後方に近接して配設されている。
【００２７】
蓋体２７の前端部には、左右両側内面に側面視Ｊ字状の支持部３７，３８が突設されており、蓋体２７は支持部３７，３８の先端に形成された回動軸３９，４０を支点に収納ボックス２６に対して前後方向に回動可能に設けられている。これらの各回動軸３９，４０は、凹部３５，３６において、ボックスフロント２８の左右両側の上部から前方に突設された支持ブラケット４１，４２と後側カバー１９の内面との間に枢支されている。これにより、収納ボックス２６に対する蓋体２７の組み付け作業が簡素化され、製造コストの低減化を図ることができると共に、組み付けのためのスペースを削減することができるため、収納ボックス２６の容量を十分に確保することができる。
【００２８】
上記したように本発明の実施の形態によれば、小物入れ２５がハンドルカバー１６内に設けられているため、小物入れ２５から物を取り出す度にライダが自動二輪車から降りたりする必要がなく、物の出し入れが容易となり、使い勝手の向上を図ることができる。
【００２９】
また、前側カバー１８内にヘッドランプ２３が嵌設されていると共に、後側カバー１９内に小物入れ２５やスピードメータ２４が嵌設されているため、予め、前側カバー１８にヘッドランプ２３を組み付けて前側ハンドルユニットを構成させると共に後側カバー１９に小物入れ２５及びスピードメータ２４を組み付けて後側ハンドルユニットを構成させ、この前側ハンドルユニットと後側ハンドルユニットとをそれぞれ前方及び後方からハンドルバー７に固定することができる。これにより、組み立て作業が簡素化されると共に組み立て工数の削減を図ることができ、製造コストの低減化が可能となる。
【００３０】
さらに、小物入れ２５やスピードメータ２４、ヘッドランプ２３をハンドルカバー１６内に嵌設することにより、外観の向上を図ることもできる。
【００３１】
なお、上記した実施の形態では、収納ボックス２５を前後に分割して形成しているが、例えば、上下に分割する等、各種変更が可能である。
【００３２】
また、上記した実施の形態では、本発明をスクータ型自動二輪車に適用した場合について説明したが、これは単なる例示に過ぎず、本発明は他のタイプの自動二輪車にも適用可能であることは言う迄もない。
【図面の簡単な説明】
【００３３】
【図１】本発明の実施の形態における自動二輪車の全体構成を示す左側面図である。
【図２】本発明の実施の形態における自動二輪車の全体構成を示す平面図である。
【図３】本発明の実施の形態における自動二輪車のハンドルカバー部分を示す斜視図である。
【図４】本発明の実施の形態における自動二輪車のハンドルカバー部分を示す断面図である。
【図５】本発明の実施の形態に係る自動二輪車の小物入れを示す斜視図である。
【図６】本発明の実施の形態に係る自動二輪車の小物入れにおいて蓋体の回動軸を支持する構造を示す斜視図である。
【符号の説明】
【００３４】
１            自動二輪車
７            ハンドルバー
１６          ハンドルカバー
１８          前側カバー
１９          後側カバー
２２          凹部空間
２４          スピードメータ
２５          小物入れ
２６          収納ボックス
２７          蓋体
３９，４０    回動軸
４１，４２    支持ブラケット
【図１】
0005088084.tif 000002
【図２】
0005088084.tif 000003
【図３】
0005088084.tif 000004
【図４】
0005088084.tif 000005
【図５】
0005088084.tif 000006
【図６】
0005088084.tif 000007